(57)【要約】【課題】画像供給装置からの画像信号をより適切に受信して画像を表示することが可能な表示装置等を提供すること。【解決手段】プロジェクター１００が、画像供給装置からの画像信号を受信設定情報に応じて受信する通信部１１０と、判定基準情報と、通信部１１０の受信状態に応じて前記画像信号の受信が安定しているかどうかの判定を行う判定部１２０と、受信が安定していないと判定された場合に前記受信設定情報を更新して判定部１２０に再判定を行わせる制御部１３０と、前記画像信号に基づく画像を生成する画像生成部１４０と、前記画像を表示する投写部１９０を含み、制御部１３０が、前記再判定において前記受信が安定していないと判定された場合に画像生成部１４０にユーザー調整指示画像を生成させ、投写部１９０に前記ユーザー調整指示画像を投写させる。【選択図】図２
2010197633.tif 000002
【特許請求の範囲】
【請求項１】
画像供給装置からの画像信号を受信設定情報に応じて受信する通信部と、
判定基準情報と、前記通信部の受信状態とに応じて前記画像信号の受信が安定しているかどうかの判定を行う判定部と、
前記判定において前記受信が安定していないと判定された場合に前記受信設定情報および前記判定基準情報の少なくとも一方を更新して前記判定部に前記画像信号の受信が安定しているかどうかの再判定を行わせる制御部と、
前記画像信号に基づく画像を生成する画像生成部と、
前記画像を表示する表示部と、
を含み、
前記制御部は、前記再判定において前記受信が安定していないと判定された場合に前記画像生成部にユーザー調整指示画像を生成させるとともに、前記表示部に前記ユーザー調整指示画像を表示させる、
表示装置。
【請求項２】
請求項１に記載の表示装置において、
前記ユーザー調整指示画像が表示された状態でのユーザー調整指示情報を入力する情報入力部を含み、
前記ユーザー調整指示画像は、表示属性の調整指示を示す画像であって、
前記制御部は、前記ユーザー調整指示情報に応じて表示属性情報を決定し、
前記通信部は、前記画像供給装置から前記表示属性情報の送信要求情報を受信するとともに、前記制御部によって決定された表示属性情報を前記画像供給装置に送信する、
表示装置。
【請求項３】
請求項１に記載の表示装置において、
前記ユーザー調整指示画像は、前記画像供給装置と前記表示装置との接続状況を確認させる指示を示す画像である、
表示装置。
【請求項４】
請求項１〜３のいずれかに記載の表示装置において、
前記制御部は、前記受信設定情報の更新として、前記画像信号の増幅率を更新する、
表示装置。
【請求項５】
請求項１〜４のいずれかに記載の表示装置において、
前記制御部は、前記判定基準情報の更新として、前記画像信号の受信が安定していると判定される基準値を更新する、
表示装置。
【請求項６】
画像供給装置からの画像信号を受信設定情報に応じて受信する通信部を含む表示装置の有するコンピューターを、
判定基準情報と、前記通信部の受信状態とに応じて前記画像信号の受信が安定しているかどうかの判定を行う判定部と、
前記判定において前記受信が安定していないと判定された場合に前記受信設定情報および前記判定基準情報の少なくとも一方を更新して前記判定部に前記画像信号の受信が安定しているかどうかの再判定を行わせる制御部と、
前記画像信号に基づく画像を生成する画像生成部として機能させるプログラム。
【請求項７】
画像供給装置からの画像信号を受信設定情報に応じて受信する通信部を含む表示装置の有するコンピューターにより読み取り可能な情報記憶媒体であって、
請求項６に記載のプログラムを記憶した情報記憶媒体。
【発明の詳細な説明】
【技術分野】
【０００１】
本発明は、表示装置、プログラムおよび情報記憶媒体に関する。
【背景技術】
【０００２】
画像供給装置と表示装置とを接続する場合、様々な要因によって画像が表示されない不具合が発生する。例えば、各装置におけるＨＤＭＩ端子を介した接続の場合は、表示装置が表示側の受信性能に符合した画像信号を選択していないという要因、表示装置におけるコピープロテクト機能が誤作動したという要因、画像供給装置からの画像信号の品質劣化、ＨＤＭＩケーブルの品質劣化、表示装置の受信回路が十分な性能を有していない等のうちの少なくとも１つによって表示装置が画像信号を適切に受信できないという要因等によって不具合が発生する。
【０００３】
一般ユーザーにとっては、不具合が発生した場合、要因を特定することは困難であり、特に、複数の要因が複合的に関係して不具合が発生した場合、要因を特定することは非常に困難である。例えば、特開２００７−１４０１８０号公報では、種別を判定できない画像信号が入力された場合に、画像信号の同期タイプ等の計測値を表示するとともに、ユーザーに設定を行わせ、ユーザー設定情報に応じて設定データを更新して当該設定データを用いて画像信号に基づく画像を表示するプロジェクターが記載されている。
【先行技術文献】
【特許文献】
【０００４】
【特許文献１】特開２００７−１４０１８０号公報
【発明の概要】
【発明が解決しようとする課題】
【０００５】
しかし、複数の要因が複合的に関係して不具合が発生した場合、特開２００７−１４０１８０号公報のようにユーザー設定に応じて設定データを更新する手法では適切に対応できない事態が生じ得る可能性がある。
【０００６】
本発明の目的は、画像供給装置と接続される際に複数の要因が複合的に関係して不具合が発生する場合であっても、画像供給装置からの画像信号をより適切に受信して画像を表示することが可能な表示装置、プログラムおよび情報記憶媒体を提供することにある。
【課題を解決するための手段】
【０００７】
上記課題を解決するため、本発明に係る表示装置は、画像供給装置からの画像信号を受信設定情報に応じて受信する通信部と、判定基準情報と、前記通信部の受信状態とに応じて前記画像信号の受信が安定しているかどうかの判定を行う判定部と、前記判定において前記受信が安定していないと判定された場合に前記受信設定情報および前記判定基準情報の少なくとも一方を更新して前記判定部に前記画像信号の受信が安定しているかどうかの再判定を行わせる制御部と、前記画像信号に基づく画像を生成する画像生成部と、前記画像を表示する表示部と、を含み、前記制御部は、前記再判定において前記受信が安定していないと判定された場合に前記画像生成部にユーザー調整指示画像を生成させるとともに、前記表示部に前記ユーザー調整指示画像を表示させることを特徴とする。
【０００８】
また、本発明に係るプログラムは、画像供給装置からの画像信号を受信設定情報に応じて受信する通信部を含む表示装置の有するコンピューターを、判定基準情報と、前記通信部の受信状態とに応じて前記画像信号の受信が安定しているかどうかの判定を行う判定部と、前記判定において前記受信が安定していないと判定された場合に前記受信設定情報および前記判定基準情報の少なくとも一方を更新して前記判定部に前記画像信号の受信が安定しているかどうかの再判定を行わせる制御部と、前記画像信号に基づく画像を生成する画像生成部として機能させることを特徴とする。
【０００９】
また、本発明に係る情報記憶媒体は、画像供給装置からの画像信号を受信設定情報に応じて受信する通信部を含む表示装置の有するコンピューターにより読み取り可能な情報記憶媒体であって、上記プログラムを記憶したことを特徴とする。
【００１０】
本発明によれば、表示装置等は、画像信号の受信が安定していない場合に受信設定情報および判定基準情報の少なくとも一方を更新して再判定し、さらに、再判定において画像信号の受信が安定していないと判定された場合にユーザー調整指示画像を表示することにより、画像供給装置と接続される際に複数の要因が複合的に関係して不具合が発生する場合であっても、画像供給装置からの画像信号をより適切に受信して画像を表示することができる。
【００１１】
また、前記ユーザー調整指示画像が表示された状態でのユーザー調整指示情報を入力する情報入力部を含み、前記ユーザー調整指示画像は、表示属性の調整指示を示す画像であって、前記制御部は、前記ユーザー調整指示情報に応じて表示属性情報を決定し、前記通信部は、前記画像供給装置から前記表示属性情報の送信要求情報を受信するとともに、前記制御部によって決定された表示属性情報を前記画像供給装置に送信してもよい。
【００１２】
これによれば、表示装置等は、再判定において画像信号の受信が安定していないと判定された場合にユーザー調整指示情報に応じて表示属性情報を画像供給装置に送信することにより、画像供給装置から送信される画像信号を調整することができる。これにより、表示装置等は、画像供給装置からの画像信号をより適切に受信して画像を表示することができる。
【００１３】
また、前記ユーザー調整指示画像は、前記画像供給装置と前記表示装置との接続状況を確認させる指示を示す画像であってもよい。
【００１４】
これによれば、表示装置等は、ユーザー調整指示情報の入力を行うことなく、画像供給装置からの画像信号をより適切に受信して画像を表示することができる。
【００１５】
また、前記制御部は、前記受信設定情報の更新として、前記画像信号の増幅率を更新してもよい。
【００１６】
これによれば、表示装置等は、画像信号の増幅率を調整することにより、画像供給装置からの画像信号をより適切に受信して画像を表示することができる。
【００１７】
また、前記制御部は、前記判定基準情報の更新として、前記画像信号の受信が安定していると判定される基準値を更新してもよい。
【００１８】
これによれば、表示装置等は、画像信号の受信が安定していると判定される基準値を更新することにより、画像供給装置からの画像信号をより適切に受信して画像を表示することができる。
【図面の簡単な説明】
【００１９】
【図１】第１の実施例におけるプロジェクターの使用状況を示す図である。
【図２】第１の実施例におけるプロジェクターの機能ブロック図である。
【図３】第１の実施例における投写手順を示すフローチャートである。
【図４】第１の実施例におけるユーザー調整指示画像の一例を示す図である。
【図５】第２の実施例におけるテレビの使用状況を示す図である。
【図６】第２の実施例におけるテレビの機能ブロック図である。
【図７】第２の実施例における表示手順を示すフローチャートである。
【図８】第２の実施例におけるユーザー調整指示画像の一例を示す図である。
【発明を実施するための形態】
【００２０】
以下、本発明をプロジェクターに適用した実施例とテレビに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の使用状況を示す図である。表示装置の一種であるプロジェクター１００は、デジタル信号用のＨＤＭＩケーブルを介して画像供給装置の一種であるＤＶＤプレーヤー２００と接続されている。プロジェクター１００は、例えば、電源投入時、ソース切替時（画像信号の入力対象となる画像供給装置の切替時）等に画像信号を適切に受信できるかどうかを判定する。本実施例では、プロジェクター１００は、画像信号を安定して受信できないと判定した場合に受信設定情報を更新して再判定を行い、再判定においても画像信号を安定して受信できないと判定した場合にユーザーの調整指示に応じて表示属性情報を調整する機能を有する。
【００２２】
次に、このような機能を有するプロジェクター１００の機能ブロックについて説明する。図２は、第１の実施例におけるプロジェクター１００の機能ブロック図である。プロジェクター１００は、ＤＶＤプレーヤー２００からの画像信号を受信設定情報に応じて受信する通信部１１０と、判定基準情報と、通信部１１０の受信状態とに応じて画像信号の受信が安定しているかどうかの判定等を行う判定部１２０と、当該判定において受信が安定していないと判定された場合に受信設定情報を更新して判定部１２０に画像信号の受信が安定しているかどうかの再判定を行わせる制御部１３０と、画像信号に基づく画像を生成する画像生成部１４０と、当該画像を表示する表示部として機能する投写部１９０を含んで構成されている。
【００２３】
また、プロジェクター１００は、ユーザー調整指示情報等を入力する情報入力部１６０と、画像生成部１４０が使用する画像データ１５２等を記憶する記憶部１５０を含んで構成されている。
【００２４】
なお、プロジェクター１００は、これらの各部の機能を、以下のハードウェアを用いて実装してもよい。例えば、プロジェクター１００は、通信部１１０はＨＤＭＩ端子、波形調整回路、受信回路等、判定部１２０、制御部１３０はＣＰＵ等、画像生成部１４０は画像処理回路等、記憶部１５０は不揮発性メモリー等、情報入力部１６０はリモコン（リモートコントローラー）、ボタン等、投写部１９０はランプ、液晶パネル、液晶駆動回路、レンズ等を用いて実装してもよい。
【００２５】
また、プロジェクター１００は、判定部１２０等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００２６】
次に、これらの各部を用いた投写手順について説明する。図３は、第１の実施例における投写手順を示すフローチャートである。例えば、ソース切替時にＤＶＤプレーヤー２００が画像信号の入力ソースになった場合、判定部１２０は、通信部１１０における画像信号を参照することにより、ＤＶＤプレーヤー２００からの画像信号の受信状態を確認する（ステップＳ１）。具体的には、例えば、判定部１２０は、画像信号の波形が継続して基準範囲内にあるかどうかを判定することにより、画像信号が安定しているかどうかを判定する（ステップＳ２）。
【００２７】
画像信号が安定していると判定した場合、判定部１２０はＨＤＣＰ認証を行い（ステップＳ３）、画像生成部１４０は通信部１１０によって受信された画像信号に基づく画像を生成し、投写部１９０は当該画像を投写する（ステップＳ４）。なお、ＨＤＣＰ認証は、ＨＤＭＩケーブルを介した接続における一般的な処理である。例えば、ＨＤＣＰ認証に失敗した場合、制御部１３０は、通信部１１０にリトライ処理を実行させ、リトライ処理後にＨＤＣＰ認証に失敗した場合、画像生成部１４０にＨＤＣＰ認証に失敗したことを示す通知画像を生成させ、投写部１９０は当該通知画像を投写する。
【００２８】
一方、画像信号が安定していないと判定された場合、制御部１３０は、通信部１１０の受信設定情報を更新する（ステップＳ５）。具体的には、例えば、制御部１３０は、通信部１１０の波形整形回路における受信信号レベルに応じて信号の増幅率を更新してもよい。
【００２９】
通信部１１０の受信設定情報の更新後、判定部１２０は、ＤＶＤプレーヤー２００からの画像信号の受信状態を確認し（ステップＳ６）、画像信号が安定しているかどうかを判定する（ステップＳ７）。
【００３０】
安定している場合、プロジェクター１００は、上述したＨＤＣＰ認証（ステップＳ３）、画像信号に基づく画像の生成、投写（ステップＳ４）を行う。
【００３１】
一方、安定していない場合、制御部１３０は、画像生成部１４０にユーザー調整指示画像の生成指示を行う。画像生成部１４０は、当該指示に応じて画像データ１５２を用いてユーザー調整指示画像を生成し、投写部１９０は、当該ユーザー調整指示画像を投写する（ステップＳ８）。
【００３２】
図４は、第１の実施例におけるユーザー調整指示画像４００の一例を示す図である。例えば、ユーザー調整指示画像４００は、選択可能な複数種の解像度を示す画像を含む。ユーザーは、例えば、リモコンのボタン操作によって所望の解像度を選択してユーザー調整指示画像４００内の「選択」を選択する。
【００３３】
情報入力部１６０は、ユーザーによって選択された解像度を示すユーザー調整指示情報を入力し、制御部１３０は、当該ユーザー調整指示情報に応じて表示属性情報（例えば、ＥＤＩＤ等）を決定し、通信部１１０は、当該表示属性情報をＤＶＤプレーヤー２００に送信する（ステップＳ９）。
【００３４】
ＤＶＤプレーヤー２００は、例えば、受信するＥＤＩＤの変更に応じて送信する画像信号を調整する。表示属性情報の送信後、判定部１２０は、ＤＶＤプレーヤー２００からの画像信号の受信状態を確認し（ステップＳ１０）、画像信号が安定しているかどうかを判定する（ステップＳ１１）。
【００３５】
安定している場合、プロジェクター１００は、上述したＨＤＣＰ認証（ステップＳ３）、画像信号に基づく画像の生成、投写（ステップＳ４）を行う。
【００３６】
一方、安定していない場合、制御部１３０は、画像生成部１４０に通知画像の生成指示を行う。画像生成部１４０は、当該指示に応じて画像データ１５２を用いて通知画像を生成し、投写部１９０は、当該通知画像を投写する（ステップＳ１２）。なお、この通知画像は、例えば、画像信号を正常に受信できないことを示す画像である。
【００３７】
以上のように、本実施例によれば、プロジェクター１００は、画像信号の受信が安定していない場合に受信設定情報を更新（例えば、信号の増幅率の更新等）して再判定し、さらに、再判定において画像信号の受信が安定していないと判定された場合にユーザー調整指示画像４００を表示することにより、ＤＶＤプレーヤー２００と接続される際に複数の要因が複合的に関係して不具合が発生する場合であっても、ＤＶＤプレーヤー２００からの画像信号をより適切に受信して画像を表示することができる。
【００３８】
特に、本実施例によれば、プロジェクター１００は、ユーザーの調整に先立って内部的な調整（受信設定情報の更新）を行うことにより、ユーザーに見せたくない調整項目やユーザーによる調整が困難な調整項目も調整することができるため、より複雑な不具合にも対処することができる。
【００３９】
また、本実施例によれば、プロジェクター１００は、ユーザー調整指示画像４００を投写することにより、ユーザーに対処方法を示すことができるため、ユーザーは、不具合が発生した場合であっても、不具合の要因を特定しやすく対処しやすい。
【００４０】
また、本実施例によれば、プロジェクター１００は、再判定において画像信号の受信が安定していないと判定された場合にユーザー調整指示情報に応じて表示属性情報をＤＶＤプレーヤー２００に送信することにより、ＤＶＤプレーヤー２００から送信される画像信号を調整することができる。これにより、プロジェクター１００は、ＤＶＤプレーヤー２００からの画像信号をより適切に受信して画像を表示することができる。
【００４１】
（第２の実施例）
表示装置は、プロジェクター１００には限定されず、例えば、テレビ、液晶モニター等であってもよい。また、画像供給装置は、ＤＶＤプレーヤー２００には限定されず、例えば、セットトップボックス、ブルーレイディスクプレーヤー、ビデオデッキ、ゲーム装置等であってもよい。また、ユーザー調整指示情報の入力は必須ではない。第２の実施例では、表示装置としてテレビを適用し、画像供給装置としてセットトップボックスを適用し、ユーザー調整指示情報の入力を行うことなく再判定を行う実施例について説明する。
【００４２】
図５は、第２の実施例におけるテレビ５００の使用状況を示す図である。表示装置の一種であるテレビ５００は、アナログビデオ信号用のビデオケーブルを介して画像供給装置の一種であるセットトップボックス６００と接続されている。テレビ５００は、例えば、電源投入時、ソース切替時等に画像信号を適切に受信できるかどうかを判定する。本実施例では、テレビ５００は、画像信号を安定して受信できないと判定した場合に受信設定情報を更新して再判定を行い、再判定においても画像信号を安定して受信できないと判定した場合にユーザー調整指示画像の表示後に再判定を行う機能を有する。
【００４３】
次に、このような機能を有するテレビ５００の機能ブロックについて説明する。図６は、第２の実施例におけるテレビ５００の機能ブロック図である。テレビ５００は、セットトップボックス６００からの画像信号を受信設定情報に応じて受信する通信部５１０と、判定基準情報と、通信部５１０の受信状態とに応じて画像信号の受信が安定しているかどうかの判定等を行う判定部５２０と、当該判定において受信が安定していないと判定された場合に判定基準情報を更新して判定部１２０に画像信号の受信が安定しているかどうかの再判定を行わせる制御部５３０と、画像信号に基づく画像を生成する画像生成部５４０と、当該画像を表示する表示部５９０と、画像データ５５２等を記憶する記憶部５５０を含んで構成されている。
【００４４】
なお、ハードウェア構成は第１の実施例と同様であるため説明を省略する。また、テレビ５００は、情報記憶媒体３０１からプログラムを読み取って判定部５２０等の機能を実装してもよい。
【００４５】
次に、これらの各部を用いた表示手順について説明する。図７は、第２の実施例における表示手順を示すフローチャートである。例えば、ソース切替時にセットトップボックス６００が画像信号の入力ソースになった場合、判定部５２０は、通信部５１０における画像信号を参照することにより、セットトップボックス６００からの画像信号の受信状態を確認する（ステップＳ２１）。具体的には、例えば、判定部５２０は、画像信号の波形が継続して基準範囲内にあるかどうかを判定することにより、画像信号が安定しているかどうかを判定する（ステップＳ２２）。
【００４６】
画像信号が安定していると判定した場合、画像生成部５４０は通信部５１０によって受信された画像信号に基づく画像を生成し、表示部５９０は当該画像を表示する（ステップＳ２３）。
【００４７】
一方、画像信号が安定していないと判定された場合、制御部５３０は、判定部５２０の判定基準情報を更新する（ステップＳ２４）。具体的には、例えば、制御部５３０は、判定部５２０の判定基準値を更新（例えば、安定していると判定される信号レベルの基準値の更新、継続して受信されていると判定される時間間隔の延長等）してもよい。
【００４８】
判定基準情報の更新後、判定部５２０は、セットトップボックス６００からの画像信号の受信状態を確認し（ステップＳ２５）、画像信号が安定しているかどうかを判定する（ステップＳ２６）。
【００４９】
安定している場合、テレビ５００は、上述した画像信号に基づく画像の生成、表示（ステップＳ２３）を行う。一方、安定していない場合、制御部５３０は、画像生成部５４０にユーザー調整指示画像の生成指示を行う。画像生成部５４０は、当該指示に応じて画像データ５５２を用いてユーザー調整指示画像を生成し、表示部５９０は、当該ユーザー調整指示画像を表示する（ステップＳ２７）。
【００５０】
図８は、第２の実施例におけるユーザー調整指示画像４１０の一例を示す図である。例えば、ユーザー調整指示画像４１０は、「ケーブルの接続状態を確認してください。」といった文字列を示す画像を含む。ユーザーは、ユーザー調整指示画像４１０が表示された場合、ビデオケーブルとテレビ５００の端子が適切に接続されているかといった確認を行う。
【００５１】
判定部５２０は、ユーザー調整指示画像４１０の表示後、所定時間（例えば、１分等）が経過した際にセットトップボックス６００からの画像信号の受信状態を確認し（ステップＳ２８）、画像信号が安定しているかどうかを判定する（ステップＳ２９）。
【００５２】
安定している場合、テレビ５００は、上述した画像信号に基づく画像の生成、表示（ステップＳ２３）を行う。一方、安定していない場合、制御部５３０は、画像生成部５４０に通知画像の生成指示を行う。画像生成部５４０は、当該指示に応じて画像データ５５２を用いて通知画像を生成し、表示部５９０は、当該通知画像を表示する（ステップＳ３０）。なお、この通知画像は、例えば、画像信号を正常に受信できないことを示す画像である。
【００５３】
以上のように、本実施例によれば、テレビ５００は、画像信号の受信が安定していない場合に判定基準情報を更新（例えば、画像信号の受信が安定していると判定される基準値の更新等）して再判定し、さらに、再判定において画像信号の受信が安定していないと判定された場合にユーザー調整指示画像４１０を表示することにより、セットトップボックス６００と接続される際に複数の要因が複合的に関係して不具合が発生する場合であっても、セットトップボックス６００からの画像信号をより適切に受信して画像を表示することができる。
【００５４】
特に、本実施例によれば、テレビ５００は、ユーザーの調整に先立って内部的な調整（判定基準情報の更新）を行うことにより、ユーザーに見せたくない調整項目やユーザーによる調整が困難な調整項目も調整することができるため、より複雑な不具合にも対処することができる。
【００５５】
また、本実施例によれば、テレビ５００は、ユーザー調整指示画像４１０を表示することにより、ユーザーに対処方法を示すことができるため、ユーザーは、不具合が発生した場合であっても、不具合の要因を特定しやすく対処しやすい。
【００５６】
また、本実施例によれば、テレビ５００は、ユーザー調整指示情報の入力を行うことなく、セットトップボックス６００からの画像信号をより適切に受信して画像を表示することができる。
【００５７】
（その他の実施例）
なお、本発明の適用は上述した実施例に限定されず、種々の変形が可能である。例えば、制御部１３０、５３０は、受信設定情報および判定基準情報の両方を更新してもよい。
【００５８】
また、ユーザー調整指示情報の入力を促すユーザー調整指示画像４００は、解像度の選択には限定されず、例えば、ＥＤＩＤを直接選択させる画像等であってもよい。また、ユーザー調整指示情報の入力を促さないユーザー調整指示画像４１０は、ケーブルの接続状態を確認させる画像には限定されず、例えば、表示装置や画像供給装置の再起動を指示
する画像等であってもよい。
【００５９】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００やテレビ５００の機能を複数の装置（例えば、ＰＣとプロジェクター、テレビとゲーム装置等）に分散して実装してもよい。
【符号の説明】
【００６０】
１００  プロジェクター（表示装置）、１１０、５１０  通信部、１２０、５２０  判定部、１３０、５３０  制御部、１４０、５４０  画像生成部、１５０、５５０  記憶部、１５２、５５２  画像データ、１６０  情報入力部、１９０  投写部（表示部）、２００  ＤＶＤプレーヤー（画像供給装置）、３００、３０１  情報記憶媒体、４００、４１０  ユーザー調整指示画像、５００  テレビ（表示装置）、５９０  表示部、６００  セットトップボックス（画像供給装置）
【図１】
2010197633.tif 000003
【図２】
2010197633.tif 000004
【図３】
2010197633.tif 000005
【図４】
2010197633.tif 000006
【図５】
2010197633.tif 000007
【図６】
2010197633.tif 000008
【図７】
2010197633.tif 000009
【図８】
2010197633.tif 000010